(57)【要約】【課題】体調に応じた空調制御が可能な空調制御システムを提供する。【解決手段】空調制御システムは、空調を制御する空調手段と、空調手段を制御する空調制御手段とを備える。空調制御手段は、体調情報と関連付けられて設定されている温度および湿度の少なくとも一方を補正する補正値が登録された体調補正テーブルを記憶する記憶手段と、体調情報の入力を受け付ける体調情報入力受付手段と、入力を受け付けた体調情報に基づいて、体調補正テーブルを参照して、補正値に従って調整するように空調手段に指示する補正指示手段と、補正指示手段により調整された空調調整後のユーザの満足度を問い合わせる問い合わせ手段と、ユーザからの回答に従って、空調手段に空調調整後の温度および湿度の少なくとも一方を再調整するように空調手段に指示する再補正指示手段と、ユーザからの回答に従って、体調補正テーブルの補正値を更新する更新手段とを含む。【選択図】図５
2013200080.tif 000002
【特許請求の範囲】
【請求項１】
空調を制御する空調手段と、
前記空調手段を制御する空調制御手段とを備え、
前記空調制御手段は、
ユーザの身体上の事情である体調情報と関連付けられて設定されている温度および湿度の少なくとも一方を補正する補正値が登録された体調補正テーブルを記憶する記憶手段と、
前記体調情報の入力を受け付ける体調情報入力受付手段と、
前記体調情報入力受付手段によって入力を受け付けた体調情報に基づいて、前記記憶手段に記憶されている前記体調補正テーブルを参照して、設定されている温度および湿度の少なくとも一方を補正値に従って調整するように前記空調手段に指示する補正指示手段と、
前記補正指示手段により調整された空調調整後のユーザの満足度を問い合わせる問い合わせ手段と、
前記問い合わせ手段に従うユーザからの回答に従って、前記空調手段に空調調整後の温度および湿度の少なくとも一方を再調整するように前記空調手段に指示する再補正指示手段と、
前記問い合わせ手段に従うユーザからの回答に従って、前記体調補正テーブルの補正値を更新する更新手段とを含む、空調制御システム。
【請求項２】
前記体調情報の入力を受け付けて、当該情報を送信するためのリモコンをさらに備え、
前記体調情報入力受付手段は、前記リモコンからの情報を受信する受信手段を含む、請求項１記載の空調制御システム。
【請求項３】
前記問い合わせ手段は、情報を表示可能な前記リモコンに対して前記空調調整後のユーザの満足度を確認する確認画面を表示するように指示する、請求項２記載の空調制御システム。
【請求項４】
前記リモコンは、ユーザの操作入力に従う満足度を示す回答を前記空調制御手段に送信する、請求項３記載の空調制御システム。
【発明の詳細な説明】
【技術分野】
【０００１】
本発明は、空調機の制御システムに関する。
【背景技術】
【０００２】
空調機の制御方式として、空間内のユーザから温度や湿度等の温熱環境に対する申告、たとえば、「暑い」、「寒い」といった情報を入力してもらい、当該申告に基づいて、空調機の設定を変更しながら運転させるものがある（特許文献１〜３）。
【先行技術文献】
【特許文献】
【０００３】
【特許文献１】特開２００４−２０５２０２号公報
【特許文献２】特開２００６−３３６８７５号公報
【特許文献３】特開平３−２４１２５７号公報
【発明の概要】
【発明が解決しようとする課題】
【０００４】
しかしながら、「暑い」、「寒い」といった申告については、その際の環境に依存するがユーザの体調の変化に対応することはできない。
【０００５】
本発明は、上記のような問題を解決するためになされたものであって、その際の体調に応じた空調制御が可能な空調制御システムを提供する。
【課題を解決するための手段】
【０００６】
本発明のある局面に従う空調制御システムは、空調を制御する空調手段と、空調手段を制御する空調制御手段とを備える。空調制御手段は、ユーザの身体上の事情である体調情報と関連付けられて設定されている温度および湿度の少なくとも一方を補正する補正値が登録された体調補正テーブルを記憶する記憶手段と、体調情報の入力を受け付ける体調情報入力受付手段と、体調情報入力受付手段によって入力を受け付けた体調情報に基づいて、記憶手段に記憶されている体調補正テーブルを参照して、設定されている温度および湿度の少なくとも一方を補正値に従って調整するように空調手段に指示する補正指示手段と、補正指示手段により調整された空調調整後のユーザの満足度を問い合わせる問い合わせ手段と、問い合わせ手段に従うユーザからの回答に従って、空調手段に空調調整後の温度および湿度の少なくとも一方を再調整するように空調手段に指示する再補正指示手段と、問い合わせ手段に従うユーザからの回答に従って、体調補正テーブルの補正値を更新する更新手段とを含む。
【０００７】
好ましくは、体調情報の入力を受け付けて、当該情報を送信するためのリモコンをさらに備え、体調情報入力受付手段は、リモコンからの情報を受信する受信手段を含む。
【０００８】
特に、問い合わせ手段は、情報を表示可能なリモコンに対して空調調整後のユーザの満足度を確認する確認画面を表示するように指示する。
【０００９】
特に、リモコンは、ユーザの操作入力に従う満足度を示す回答を空調制御手段に送信する。
【発明の効果】
【００１０】
体調に応じた空調制御が可能な空調制御システムを提供する。
【図面の簡単な説明】
【００１１】
【図１】本発明の実施の形態に従う空調制御システムの概念図である。
【図２】本発明の実施の形態に従う空調機器２のハードウェアを説明する図である。
【図３】本発明の実施の形態に従うリモコン６の表示部に表示される体調入力画面の一例を説明する図である。
【図４】メモリ１２に格納されている体調補正テーブルを説明する図である。
【図５】本発明の実施の形態に従う空調機の動作を説明するフロー図である。
【図６】本発明の実施の形態に従うユーザに空調調整後の満足度を問い合わせる問い合わせ画面を説明する図である。
【図７】本発明の実施の形態に従う空調調整後のユーザの満足度に従い再調整するテーブルを説明する図である。
【発明を実施するための形態】
【００１２】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１３】
図１は、本発明の実施の形態に従う空調制御システムの概念図である。
図１を参照して、空調制御システムとして、空調を制御する空調機器２と、空調機器２に対して入力指示等するためのリモコン６とが設けられる。リモコン６には、表示部と、操作部とが設けられており、表示部に表示される内容に従って操作部で操作した内容がリモコン信号（赤外線信号）として空調機器２に送信される。
【００１４】
なお、リモコン６は、空調機器２と一体として設けられた構成とすることも可能である。本例においては、一例として赤外線信号を用いて空調機器２に制御指示する場合について説明するが、特に当該信号に限らず、他の無線信号を用いて指示するようにしても良い。また、無線に限らず、有線により指示することも可能である。
【００１５】
図２は、本発明の実施の形態に従う空調機器２のハードウェアを説明する図である。
図２を参照して、空調機器２は、空調機器２全体を制御するＣＰＵ（Central Processing Unit）１０と、ＣＰＵ１０で実行するプログラム等を格納するとともワークメモリとしても用いられるメモリ１２と、温度および湿度を測定するための環境センサ１４と、リモコン６との間で赤外線信号を介して情報を送受信するためのリモコン送受信部１６と、温度および湿度を所望の温度および湿度に調整するための温湿度制御部１８と、風量を制御するための風量制御部２０と、各部を接続する内部バスとを含む。
【００１６】
空調機器２は、リモコン送受信部１６は、ユーザ入力に伴うリモコン６からの制御指示、たとえば設定温度および設定湿度の操作指示を受けてＣＰＵ１０に出力する。
【００１７】
ＣＰＵ１０は、リモコン６からの制御指示に従って温湿度制御部１８および風量制御部２０に対して環境センサ１４で取得される温度および湿度が設定温度および設定湿度となるように指示する。
【００１８】
図３は、本発明の実施の形態に従うリモコン６の表示部に表示される体調入力画面の一例を説明する図である。
【００１９】
図３を参照して、ここでは、ユーザの体調情報として、「体調はいかかですか」の表示とともに、「調子が良い」、「調子が悪い」、「暑く感じる」、「ちょうど良い」、「寒く感じる」、「喉が渇く」、「咳が出る」、「咳込む」、「喉が痛い」といった身体の事情を選択可能な入力画面が示されている。なお、当該体調情報は、一例であり、特に当該情報に限られない。
【００２０】
当該体調入力画面は、図示しないがリモコン６の所定のボタンを操作することにより表示部に表示されるものとする。あるいは、空調機器２から当該画面を表示するように指示しても良い。なお、当該画面を表示するためのデータ等については予めリモコン６の図示しないメモリに格納されているものとする。
【００２１】
ユーザは、当該画面を見て、現在の体調情報を選択して空調機器２に送信することが可能である。
【００２２】
図４は、メモリ１２に格納されている体調補正テーブルを説明する図である。
図４を参照して、ここでは、２つのテーブルが設けられている。
【００２３】
図４（Ａ）には、温度を補正するための温度補正テーブルが示されている。
温度補正テーブルには、体調情報にそれぞれ対応する温度変化量が登録されている。
【００２４】
一例として、「調子が良い」、「調子が悪い」、「暑く感じる」、「ちょうど良い」、「寒く感じる」、「喉が渇く」、「咳が出る」、「咳込む」、「喉が痛い」の体調情報に対応してそれぞれ「−４」、「４」、「−３」、「０」、「２」、「０」、「０」、「１」、「１」の温度変化（℃）の調整を指示する補正値が登録されている。
【００２５】
図４（Ｂ）には、湿度を補正するための湿度補正テーブルが示されている。
湿度補正テーブルは、体調情報にそれぞれ対応する湿度変化量が登録されている。
【００２６】
一例として、「調子が良い」、「調子が悪い」、「暑く感じる」、「ちょうど良い」、「寒く感じる」、「喉が渇く」、「咳が出る」、「咳込む」、「喉が痛い」の体調情報に対応してそれぞれ「−１５％」、「５％」、「０％」、「０％」、「０％」、「５％」、「８％」、「１０％」、「１０％」の湿度変化の調整を指示する補正値が登録されている。
【００２７】
当該温度補正テーブルおよび湿度補正テーブルを用いて、体調情報に従って温度および湿度の少なくとも一方の補正値が参照されて設定温度および設定湿度の補正指示がされる。
【００２８】
図５は、本発明の実施の形態に従う空調機の動作を説明するフロー図である。当該処理は、主にＣＰＵ１０の処理である。
【００２９】
図５を参照して、まず、体調情報の入力が有るかどうかを判断する（ステップＳ２）。具体的には、リモコン６の表示部に表示された体調入力画面に従ってリモコン６から体調情報を含むリモコン信号を受信したかどうかを判断する。受信していない場合には、ステップＳ２の状態を維持する。
【００３０】
次に、ステップＳ２において、体調情報の入力が有ったと判断した場合（ステップＳ２においてＹＥＳ）には、メモリ１２に登録されている体調補正テーブルを参照して、入力された体調情報に基づいて設定温度および設定湿度を調整する（ステップＳ４）。
【００３１】
具体的には、体調補正テーブルを参照して、体調情報に従う補正値を取得し、当該補正値に従って調整するように温湿度制御部１８に指示する。
【００３２】
次に調整が終了したかどうかを判断する（ステップＳ６）。具体的には、環境センサ１４で測定された温度および湿度に従って、調整した温度および湿度であるかどうかを判断する。終了するまでステップＳ６の状態を維持する。
【００３３】
そして、ステップＳ６において調整が終了したと判断した場合（ステップＳ６においてＹＥＳ）には、ユーザに空調調整後の満足度を問い合わせする（ステップＳ８）。具体的には、リモコン６に対して、後述する問い合わせ画面を表示するようにリモコン送受信部１６から指示する。
【００３４】
そして、次に、リモコン６からの回答が有るかどうかを判断する（ステップＳ１０）。具体的には、リモコン６からの回答情報を含むリモコン信号を受信したかどうかを判断する。
【００３５】
次に、回答が有ると判断した場合（ステップＳ１０においてＹＥＳ）には、回答が期待どおりかどうかを判断する（ステップＳ１２）。
【００３６】
ステップＳ１２において、回答が期待どおりであると判断した場合（ステップＳ１２においてＹＥＳ）には、そのまま処理を終了する（エンド）。
【００３７】
一方、ステップＳ１２において、回答が期待どおりでないと判断した場合（ステップＳ１２においてＮＯ）には、回答内容に従って補正するとともに、テーブルを更新する（ステップＳ１４）。具体的には、後述する修正テーブルに従って温湿度制御部１８に対して再調整するように指示する。また、メモリ１２に格納されている体調補正テーブルを修正テーブルで修正した内容に従って更新する。
【００３８】
そして、再びステップＳ８に戻り、再度、ユーザに満足度を問い合わせする。以降の処理については、上記で説明したのと同様であるのでその詳細な説明は繰り返さない。
【００３９】
一方、回答が無いと判断した場合（ステップＳ１０においてＮＯ）には、再びステップＳ８に戻り、再度、ユーザに満足度を問い合わせする。
【００４０】
図６は、本発明の実施の形態に従うユーザに空調調整後の満足度を問い合わせる問い合わせ画面を説明する図である。なお、当該画面を表示するためのデータ等については予めリモコン６の図示しないメモリに格納されているものとし、空調機器２からの指示に従い表示部に表示されるものとする。
【００４１】
図６を参照して、ここでは、２つの画面が示されている。
図６（Ａ）には、空調調整後の温度の満足度を問い合わせる画面が示されている。
【００４２】
ここでは、一例として、「期待より高い」、「期待どおり」、「期待より低い」の３つの回答を選択できる状態が示されている。ユーザは当該問い合わせ画面から満足度の回答をリモコンを操作して回答することが可能である。
【００４３】
図６（Ｂ）には、空調調整後の湿度の満足度を問い合わせる画面が示されている。
ここでは、一例として、「期待より高い」、「期待どおり」、「期待より低い」の３つの回答を選択できる状態が示されている。ユーザは当該問い合わせ画面から満足度の回答をリモコンを操作して回答することが可能である。
【００４４】
図７は、本発明の実施の形態に従う空調調整後のユーザの満足度に従い再調整するテーブルを説明する図である。
【００４５】
図７（Ａ）は、温度を再調整する修正テーブルである。
具体的には、「期待より低い」との回答に対して温度については「０．５」補正値を調整する。「期待どおり」の回答に対しては補正値は調整しない。
【００４６】
「期待より高い」との回答に対して温度については「−０．５」補正値を調整する。
図７（Ｂ）は、湿度を再調整する修正テーブルである。
【００４７】
具体的には、「期待より低い」との回答に対して湿度については「１％」補正値を調整する。「期待どおり」の回答に対しては補正値は調整しない。
【００４８】
「期待より高い」との回答に対して温度については「−１％」補正値を調整する。
したがって、リモコン６を介して問い合わせ画面において、「期待より高い」、「期待より低い」と回答した場合には、さらに温度および湿度の少なくとも一方が再調整されてユーザが満足するまで微修正される。また、微修正されるとともに、体調補正テーブルの補正値の値も更新されるため次に操作する場合には、ユーザが満足する環境への設定を容易に行うことが可能である。
【００４９】
当該処理により、ユーザ個人が満足する体調補正テーブルを作成してユーザの利便性および快適性を向上させることが可能である。
【００５０】
なお、本例においては、１つの体調補正テーブルについて説明したが、ユーザ毎に体調補正テーブルを設けることによりユーザの好みに応じた空調制御を実行することが可能である。
【００５１】
また、体調補正テーブルについて、固定の体調補正テーブルではなく、たとえば季節毎、月毎等の体調補正テーブルを設けることによりよりユーザの好みに応じた空調制御を実行することが可能である。
【００５２】
また、本例においては、空調機器２側からリモコン６に対して満足度を問い合わせる画面を表示するように指示する場合について説明したが、特にこれに限らず、自発的にリモコンが表示するようにしても良い。たとえば、体調情報をリモコンで送信してから所定期間経過後に、空調調整後のユーザの満足度を調整する問い合わせ画面を表示するようにしてもよい。なお、当該所定期間は、空調調整が完了しているような適切な期間に設定されるものとする。
【００５３】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００５４】
２  空調機器、６  リモコン、１０  ＣＰＵ、１２  メモリ、１４  環境センサ、１６  リモコン送受信部、１８  温湿度制御部、２０  風量制御部。
【図１】
2013200080.tif 000003
【図２】
2013200080.tif 000004
【図３】
2013200080.tif 000005
【図４】
2013200080.tif 000006
【図５】
2013200080.tif 000007
【図６】
2013200080.tif 000008
【図７】
2013200080.tif 000009